(57)【要約】【課題】グリップの長さを調節可能にする釣竿の可変長グリップを提供する。【解決手段】ロッド１１とその基端側を支持するグリップ１２からなる釣竿１０において、グリップ１２はフロントグリップ１３及びリヤグリップ１４を有し、リヤグリップ１４の後端部から延出するグリップフレーム１７と、グリップフレーム１７が移動可能に挿入されるガイドパイプ１５と、を備える。グリップフレーム１７の移動に応じてグリップ１２の長さが変化する。【選択図】図１
2019126296.tif 000002
【特許請求の範囲】
【請求項１】
ロッドとその基端側を支持するグリップからなる釣竿において、前記グリップはフロントグリップ及びリヤグリップを有し、
前記リヤグリップの後端部から延出するグリップフレームと、前記グリップフレームが移動可能に挿入されるガイドパイプとを備え、
前記グリップフレームの移動に応じて長さが変化するようにしたことを特徴とする釣竿の可変長グリップ。
【請求項２】
前記グリップフレームの先端部に前記ガイドパイプ内で移動可能に挿入されたストッパが取り付けられ、前記ストッパにより前記グリップフレームを前記ガイドパイプ内で固定することを特徴とする請求項１に記載の釣竿の可変長グリップ。
【請求項３】
前記ストッパは径が拡大変形可能な圧着部を有し、前記圧着部が前記ガイドパイプの内面に圧着することで、前記グリップフレームを前記ガイドパイプ内で固定することを特徴とする請求項２に記載の釣竿の可変長グリップ。
【請求項４】
前記グリップフレームの前端部及び前記ガイドパイプの後端部にそれぞれ段部を有し、これらの段部により、前記グリップフレームが前記ガイドパイプから抜け落ちるのを抑止する抜け防止機構が構成されることを特徴とする請求項１〜３のいずれか１項に記載の釣竿の可変長グリップ。
【発明の詳細な説明】
【技術分野】
【０００１】
本発明は、ルアー釣等に使用する釣竿における可変長グリップに関するものである。
【背景技術】
【０００２】
例えば、特許文献１にはパイプ状のフレームと、フレーム外周面に設けられたリールシートと、リールシート前端に螺着する筒状のフロントグリップと、パイプ状のフレーム前端に挿入されたロッドとを備え、フロントグリップをリールシート側にねじ込むことにより、フロントグリップ後端のフードをリールシート上のリールに係合させて当該リールを固定するようにした釣竿が知られている。
【先行技術文献】
【特許文献】
【０００３】
【特許文献１】特開２００７−１３５６０７号公報
【発明の概要】
【発明が解決しようとする課題】
【０００４】
釣竿の使用状況に応じてグリップの長さを長短調節したい場合があるが、従来の釣竿ではグリップの長さは一定に固定され、そのような要請に対応できないのが実情であった。
【０００５】
本発明はかかる実情に鑑み、グリップの長さを調節可能にする釣竿の可変長グリップを提供することを目的とする。
【課題を解決するための手段】
【０００６】
本発明の釣竿の可変長グリップは、ロッドとその基端側を支持するグリップからなる釣竿において、前記グリップはフロントグリップ及びリヤグリップを有し、前記リヤグリップの後端部から延出するグリップフレームと、前記グリップフレームが移動可能に挿入されるガイドパイプとを備え、前記グリップフレームの移動に応じて長さが変化するようにしたことを特徴とする。
【０００７】
また、本発明の釣竿の可変長グリップにおいて、前記グリップフレームの先端部に前記ガイドパイプ内で移動可能に挿入されたストッパが取り付けられ、前記ストッパにより前記グリップフレームを前記ガイドパイプ内で固定することを特徴とする。
【０００８】
また、本発明の釣竿の可変長グリップにおいて、前記ストッパは径が拡大変形可能な圧着部を有し、前記圧着部が前記ガイドパイプの内面に圧着することで、前記グリップフレームを前記ガイドパイプ内で固定することを特徴とする。
【０００９】
また、本発明の釣竿の可変長グリップにおいて、前記グリップフレームの前端部及び前記ガイドパイプの後端部にそれぞれ段部を有し、これらの段部により、前記グリップフレームが前記ガイドパイプから抜け落ちるのを抑止する抜け防止機構が構成されることを特徴とする。
【発明の効果】
【００１０】
本発明によれば、グリップの長さを最長状態と最短状態の間で自由に設定することができる。
【図面の簡単な説明】
【００１１】
【図１】本発明に係る釣竿のグリップまわりを示す図である。
【図２】本発明に係る釣竿のグリップの内部構造を示す図である。
【図３】本発明に係る可変長グリップの要部構成を示す分解斜視図である。
【図４】本発明に係る可変長グリップの要部構成を示す展開側断面図である。
【図５】本発明に係る可変長グリップにおける組立時のユニット化状態を示す図である。
【図６Ａ】本発明に係る可変長グリップにおけるストッパがガイドパイプ内で移動可能である状態を示す図である。
【図６Ｂ】本発明に係る可変長グリップにおけるストッパをガイドパイプ内で固定する際の様子を示す図である。
【図７Ａ】本発明に係る可変長グリップの最長状態を示す図である。
【図７Ｂ】本発明に係る可変長グリップの最短状態を示す図である。
【発明を実施するための形態】
【００１２】
以下、図面に基づき、本発明による釣竿の可変長グリップにおける好適な実施の形態を説明する。
図１は、この本発明に係る釣竿のグリップまわりを示している。なお、以下で参照する各図の要所において、前方を矢印Ｆｒにより、後方を矢印Ｒｒによりそれぞれ示す。釣り釣竿１０は、ロッド１１とその基端側を支持するグリップ１２からなる。ロッド１１は例えばカーボン素材により、またグリップ１２は概して、例えばＥＶＡ樹脂あるいはコルク素材により形成される。なお、ロッド１１に沿って適当な間隔で複数のラインガイドが取り付けられ、後述するリールシートに搭載されたリールから繰り出されたライン（図示せず）はラインガイドによってガイドされる。そのラインに結合されたルアーは、先端のラインガイドからリリースされるようになっている。
【００１３】
グリップ１２はフロントグリップ１３及びリヤグリップ１４を有し、パイプ状のフレーム１５の外周面に支持されるかたちで設けられる。フロントグリップ１３のリールシート１６にリールが搭載されるようになっている。ロッド１１の基端部は、フロントグリップ１３を貫通してフレーム１５に嵌着する。リヤグリップ１４の後端部には、グリップフレーム１７に結合支持されるグリップエンド１８を有し、これらがリヤグリップ全体を構成する。このためグリップ１２全体の長さには、グリップフレーム１７及びグリップエンド１８が含まれる。
【００１４】
図２は、グリップ１２の内部構造を示している。リヤグリップ１４にはフロントグリップ１３の一部まで延出するように、フレーム１５内にガイドパイプ１９が嵌装されて固定される。グリップフレーム１７はガイドパイプ１９内に挿入され、グリップ１２の長手方向に移動可能である。グリップフレーム１７の先端部にはガイドパイプ１９内で移動可能に挿入されたストッパ２０が取り付けられ、グリップ１２において、ストッパ２０によりグリップフレーム１７のガイドパイプ１９内での長手方向に沿った位置を設定し、且つ固定できるように構成されている。
【００１５】
図３は可変長グリップの要部構成を示す分解斜視図、図４はその展開側面図である。グリップフレーム１７は例えばカーボン製であり、ガイドパイプ１９の内径よりも小径であり、それ自体はガイドパイプ１９内を自在に移動可能である。グリップフレーム１７の前端部付近にガイドパイプ１９の内径と略同径の段部２１を有し、段部２１はグリップフレーム１７の移動に伴いガイドパイプ１９の内面に対してガタつくことなく摺動することができる。一方、ガイドパイプ１９は例えばカーボン製であり、その後端部にはグリップフレーム１７の外径と略同径の内径を持つ段部２２が付設され、は段部２２の内面に対してガタつくことなく摺動する。
【００１６】
グリップフレーム１７がガイドパイプ１９の後端まで移動した際には段部２１及び段部２２が相互に当接し合うようになっている。段部２１及び段部２２は、グリップフレーム１７がガイドパイプ１９から抜け落ちるのを抑止する抜け防止機構を構成する。
【００１７】
段部２１の前端には前方に先細となる適度なテーパが付された押圧部２３が結合し、押圧部２３の更に前端に、ネジ部２４（雄ネジ）を有するガイドシャフト２５が結合する。押圧部２３は例えばＡＢＳ樹脂製であり、また、ガイドシャフト２５は例えばステンレス鋼製である。グリップフレーム１７におけるこれら各部の結合は接着剤を使って行なってもよく、あるいは機械的に結合することができ、更にそれらを併用することもできる。ガイドシャフト２５の前部にはネジ部２６（雌ネジ）が形成され、このネジ部２６にビス２７が螺合するようになっている。
【００１８】
ストッパ２０は例えばＡＢＳ樹脂製であり、概略円筒状に形成される。ストッパ２０の円筒状の前後には圧着部２８Ａ及び２８Ｂが形成されている。これらの圧着部２８Ａ及び２８Ｂはガイドパイプ１９の内径よりも適度に大きい外径を有し、ガイドパイプ１９の内面に対して適度な強さで圧接するようになっている。圧着部２８Ａ及び２８Ｂの内部は実質的に中空状に形成され、また、圧着部２８Ａ及び２８Ｂそれぞれの円周方向に複数分割（例えば４分割）する位置に前後方向に複数のスリット２９Ａ及び２９Ｂが形成される。圧着部２８Ａ及び２８Ｂはそれぞれスリット２９Ａ及び２９Ｂを持つことで、径方向に大小変形することができる。
【００１９】
圧着部２８Ｂの中空内面には前方に先細となる適度なテーパが付された受圧部３０が形成される。受圧部３０は押圧部２３と略同程度の前後方向長さを有し（短くてもよい）、受圧部３０のテーパは押圧部２３のテーパと略同程度の強さに設定される。ストッパ２０内部の中央部付近には、ガイドシャフト２５のネジ部２４と螺合するネジ部３１（雌ネジ）が形成される。
【００２０】
上記構成において、グリップ１２に組立に際して図５のようにグリップフレーム１７及びストッパ２０はユニット化した状態で組み立てられる。即ち、ストッパ２０のネジ部３１にガイドシャフト２５のネジ部２４を適度な深さまでネジ込み、これによりグリップフレーム１７にストッパ２０が結合する。更に、ガイドシャフト２５のネジ部２６にビス２７が螺着させ、これによりストッパ２０がグリップフレーム１７から離脱しないようにすることができる。
【００２１】
グリップフレーム１７はその後端部からガイドパイプ１９内に挿入され、ガイドパイプ１９の後端部から延出するグリップフレーム１７の後端部にグリップエンド１８が結合されて支持される。この場合、ストッパ２０はガイドパイプ１９内に挿入される。このようにグリップフレーム１７及びストッパ２０が一体的に組み付けられたガイドパイプ１９はその前端部からフレーム１５内に嵌装されて固定される。これにより図２のように、フロントグリップ１３及びリヤグリップ１４からなるグリップ１２としては組み立てられる。
【００２２】
ストッパ２０の圧着部２８Ａ及び２８Ｂはガイドパイプ１９の内面に対して適度な強さで圧接するが、グリップエンド１８等を把持してグリップ１２本体に対して押し引きすることでガイドパイプ１９内を前後に移動させることができる。これに伴い、ガイドパイプ１９の後端部から延出するグリップフレーム１７の長さが長短変化し、即ちリヤグリップ１４の長さ、つまりフロントグリップ１３を含めたグリップ１２全体の長さが変化する。なお、このままではストッパ２０がガイドパイプ１９内で移動可能である。
【００２３】
図６Ａは、ストッパ２０がガイドパイプ１９内で移動可能である状態を示している。ガイドシャフト２５のネジ部２４はストッパ２０のネジ部３１に適度な深さまでネジ込まれており、この状態では圧着部２８Ａ及び２８Ｂのガイドパイプ１９の内面に対する圧接強度は、ストッパ２０をガイドパイプ１９内で固定するのに十分な程度に達していない。一方、圧着部２８Ａ及び２８Ｂのガイドパイプ１９の内面に圧接していることで、ストッパ２０の回転方向についての動きが規制される。
【００２４】
図６Ｂはストッパ２０をガイドパイプ１９内で固定する際の様子を示している。グリップエンド１８（あるいはグリップフレーム１７又はそれら双方でもよい）及等を把持して回転させることで、ガイドシャフト２５のネジ部２４がストッパ２０のネジ部３１にネジ込まれる。この場合、ストッパ２０の回転が規制されているため、ネジ部２４を適正にネジ込みことができる。ネジ部２４のネジ込みにより、ガイドシャフト２５側の押圧部２３とストッパ２０の受圧部３０が接触し、ネジ部２４を更にネジ込むと、圧着部２８Ｂの径が拡大する。この場合、圧着部２８Ｂにはスリット２９Ｂが形成されているため、圧着部２８Ｂの径が拡大変形を可能にする。そして、ガイドパイプ１９の内面に対する圧着部２８Ｂの圧接強度が増大し、ストッパ２０が固定され、即ちガイドパイプ１９内で前後方向の移動が規制される。
【００２５】
このようにストッパ２０をガイドパイプ１９内で適宜の位置に移動させて、そこでストッパ２０を固定することにより、前述のようにフロントグリップ１３を含めたグリップ１２全体を所望長さに調節することができる。図７Ａはグリップ１２が最長となった状態を示しており、この場合、段部２１及び段部２２が相互に当接し合っている。段部２１及び段部２２による抜け防止機構により、グリップフレーム１７がガイドパイプ１９から抜け落ちることはない。また、図７Ｂはグリップ１２が最短となった状態を示しており、この場合、グリップエンド１８がガイドパイプ１９の後端部に当接する。
【００２６】
釣竿１０の使用状況に応じてグリップ１２の長さを長短調節したい場合、グリップ１２の長さを最長状態（図７Ａ）と最短状態（図７Ｂ）の間で自由に設定することができる。このように本発明の釣竿１０のグリップ１２は可変長であるため、使用性や使い勝手に優れ、ひいては高い釣果を期待することができる。
【００２７】
なお、本発明の好適な実施形態を説明したが、本発明は上述した実施形態にのみ限定されるものではなく、必要に応じて適宜変更等が可能である。
押圧部２３や受圧部３０のテーパの強さは、必要に応じて適宜設定あるいは変更することができ、また、押圧部２３の形状としてテーパの他に、例えば湾曲突状の形状であっても、圧着部２８Ｂの径を拡大変形することができる。
更に、グリップフレーム１７やグリップエンド１８等の長さは、必要に応じて適宜設定あるいは変更することができる。
【符号の説明】
【００２８】
１０  釣竿、１１  ロッド、１２  グリップ、１３  フロントグリップ、１４  リヤグリップ、１５  フレーム、１６リールシート、１７  グリップフレーム、１８  グリップエンド、１９  ガイドパイプ、２０ストッパ、２１，２２  段部、２３  押圧部、２４  ネジ部、  ２５  ガイドシャフト、２６  ネジ部、２７  ビス、２８Ａ，２８Ｂ  圧着部、２９Ａ，２９Ｂ  スリット、３０  受圧部、３１  ネジ部。
【図１】
2019126296.tif 000003
【図２】
2019126296.tif 000004
【図３】
2019126296.tif 000005
【図４】
2019126296.tif 000006
【図５】
2019126296.tif 000007
【図６Ａ】
2019126296.tif 000008
【図６Ｂ】
2019126296.tif 000009
【図７Ａ】
2019126296.tif 000010
【図７Ｂ】
2019126296.tif 000011